(57)【要約】【課題】製造が複雑にならずに、収納部を明確に区別することができて、その変化に富んだシートホルダを提供する。【解決手段】外側にあってシートホルダ１０の表裏を構成する外側シートホルダ部１２と、外側シートホルダ部１２の内側にあってシートホルダ１０内の複数の収納部の仕切を構成する内側シートホルダ部１４とを有し、内側シートホルダ部１４が外側シートホルダ部１２に対して摺動可能となっている。【選択図】図１
0003153734.tif 000002
【実用新案登録請求の範囲】
【請求項１】
それぞれ矩形状の第１表面シート部と第１裏面シート部とが互いの一方の横の一辺と一方の縦の一辺でそれぞれ連結され、他方の横の一辺と他方の縦の一辺とが互いに開放された外側シートホルダ部と、
外側シートホルダ部内に配設され、それぞれ矩形状の第２表面シート部と第２裏面シート部とが互いの一方の横の一辺の一部と一方の縦の一辺でそれぞれ連結され、他方の横の一辺と他方の縦の一辺とが互いに開放された内側シートホルダ部と、を有し、
外側シートホルダ部の第１裏面シート部には、横の二辺の近傍に切り込みが形成されて該切り込みにより第１裏面シート部から切起こし可能な舌片がそれぞれ形成されており、各舌片と舌片以外の第１裏面シート部とによって、前記内側シートホルダ部の第２裏面シート部の前記一方の横の一辺の前記第２表面シート部と連結されていない部分と、前記他方の横の一辺とが挟まれており、第２裏面シート部の前記一方の横の一辺の前記第２表面シート部と連結されていない部分の範囲で、前記内側シートホルダ部が外側シートホルダ部に対して摺動可能となっていることを特徴とするシートホルダ。
【請求項２】
前記第２表面シート部と第２裏面シート部との連結された前記一方の横の一辺の一部は、前記他方の縦の一辺寄りの部分であることを特徴とする請求項１記載のシートホルダ。
【請求項３】
前記外側シートホルダ部の第１裏面シート部の前記他方の縦の一辺の近傍に切り込みが形成されて、該切り込みにより第１裏面シート部から切起こし可能な第２舌片が形成されており、該第２舌片は、第２舌片と第２舌片以外の第１裏面シート部とによって、前記第２裏面シート部、前記第２裏面シート部及び第２表面シート部、または、前記第２裏面シート部、第２表面シート部及び第１表面シート部を、挟むことが可能であることを特徴とする請求項１または２記載のシートホルダ。
【請求項４】
前記第１表面シート部と第１裏面シート部とはそれぞれの一方の横の一辺で、該一辺の離散的位置において互いに連結されることを特徴とする請求項１ないし３のいずれか１項に記載のシートホルダ。
【考案の詳細な説明】
【技術分野】
【０００１】
本考案は、シート類を収納する複数の収納部を有するシートホルダに関する。
【背景技術】
【０００２】
従来、この種のシートホルダとしては、一枚の樹脂シートを縦横の二つの折り目に沿って二つ折りに折り畳んで底部を溶着して、合計三か所の収納部を形成したものが知られている。
【考案の概要】
【考案が解決しようとする課題】
【０００３】
しかしながら、かかる従来のシートホルダによれば、一枚の樹脂シートで複数の収納部を構成することができるものの、その底部の溶着にあたり多数枚の樹脂シートを溶着する必要があり、複数の製造が複雑であるという問題がある。また、各収納部の区別が行い難く、シートホルダの変化に乏しいという問題がある。
【０００４】
本考案はかかる課題に鑑みなされたもので、製造が複雑にならずに、収納部を明確に区別することができて、その変化に富んだシートホルダを提供することをその目的とする。
【課題を解決するための手段】
【０００５】
前述した目的を達成するために、請求項１記載の考案は、それぞれ矩形状の第１表面シート部と第１裏面シート部とが互いの一方の横の一辺と一方の縦の一辺でそれぞれ連結され、他方の横の一辺と他方の縦の一辺とが互いに開放された外側シートホルダ部と、
外側シートホルダ部内に配設され、それぞれ矩形状の第２表面シート部と第２裏面シート部とが互いの一方の横の一辺の一部と一方の縦の一辺でそれぞれ連結され、他方の横の一辺と他方の縦の一辺とが互いに開放された内側シートホルダ部と、を有し、
外側シートホルダ部の第１裏面シート部には、横の二辺の近傍に切り込みが形成されて該切り込みにより第１裏面シート部から切起こし可能な舌片がそれぞれ形成されており、各舌片と舌片以外の第１裏面シート部とによって、前記内側シートホルダ部の第２裏面シート部の前記一方の横の一辺の前記第２表面シート部と連結されていない部分と、前記他方の横の一辺とが挟まれており、第２裏面シート部の前記一方の横の一辺の前記第２表面シート部と連結されていない部分の範囲で、前記内側シートホルダ部が外側シートホルダ部に対して摺動可能となっていることを特徴とする。
【０００６】
請求項２記載の考案は、請求項１記載の前記第２表面シート部と第２裏面シート部との連結された前記一方の横の一辺の一部が、前記他方の縦の一辺寄りの部分であることを特徴とする。
【０００７】
請求項３記載の考案は、請求項１または２記載の前記外側シートホルダ部の第１裏面シート部の前記他方の縦の一辺の近傍に切り込みが形成されて、該切り込みにより第１裏面シート部から切起こし可能な第２舌片が形成されており、該第２舌片は、第２舌片と第２舌片以外の第１裏面シート部とによって、前記第２裏面シート部、前記第２裏面シート部及び第２表面シート部、または、前記第２裏面シート部、第２表面シート部及び第１表面シート部を、挟むことが可能であることを特徴とする。
【０００８】
請求項４記載の考案は、請求項１ないし３のいずれか１項に記載の前記第１表面シート部と第１裏面シート部とはそれぞれの一方の横の一辺で、該一辺の離散的位置において互いに連結されることを特徴とする。
【考案の効果】
【０００９】
本考案によれば、内側シートホルダ部が外側シートホルダ部に対して横方向に摺動することができるために、収納部の区別がし易く、また変化に富んだものとすることができる。内側シートホルダ部によって仕切られた収納部の収納を簡単に行うことができる。また、外側シートホルダ部と内側シートホルダ部とはそれぞれ製造上簡単に形成することができるので、全体の製造が複雑になることを防ぐことができる。
【図面の簡単な説明】
【００１０】
【図１】本考案によるシートホルダの全体図であり、内側シートホルダ部を引き出した状態を表す。
【図２】本考案によるシートホルダの全体図であり、通常の収納状態を表す。
【図３】図２の３−３線に沿って見た断面図である。
【図４】図２の４−４線に沿って見た断面図である。
【図５】外側シートホルダ部の展開図である。
【図６】内側シートホルダ部の展開図である。
【図７】外側シートホルダ部の溶着の他の例を表す図３相当断面図である。
【図８】本考案によるシートホルダに模様による変化を与えた変形例である。
【図９】本考案によるシートホルダに模様による変化を与えた変形例である。
【図１０】本考案によるシートホルダに模様による変化を与えた変形例である。
【考案を実施するための形態】
【００１１】
以下、図面を用いて本考案の実施の形態を説明する。
図１〜図４は本考案のシートホルダの全体図である。このシートホルダ１０は、外側にあってシートホルダ１０の表裏を構成する外側シートホルダ部１２と、外側シートホルダ部１２の内側にあってシートホルダ１０内の複数の収納部の仕切を構成する内側シートホルダ部１４とを有する。
【００１２】
尚、本明細書においては、便宜上、図示する矩形形状において直交する２つの辺のうちの長手方向の辺を縦とし、図示する短手方向の辺を横と称するが、これに限るものではなく、長手方向の辺を横、短手方向の辺を縦としてもよいことは勿論である。
【００１３】
外側シートホルダ部１２は、それぞれ矩形状のプラスチック製の表面シート部２０と裏面シート部２２とからなる。外側シートホルダ部１２は、図５に示すように１枚のプラスチック製シートを折り目によって折り曲げることで構成され、外側シートホルダ部１２の周囲辺のうちの縦の一辺１２ａは、表面シート部２０と裏面シート部２２のそれぞれの対応する縦の一辺２０ａ、２２ａが、折り目Ｆ１を介して一体に連結されており、また、横の一辺１２ｂは、表面シート部２０と裏面シート部２２のそれぞれの対応する横の一辺２０ｂ、２２ｂが、超音波溶着等によって一体的に連結されている。よって、外側シートホルダ部１２の縦の一辺１２ａと横の一辺１２ｂとにおいて、表面シート部２０と裏面シート部２２とがそれぞれ連結されており、他の縦の一辺１２ｃと他の横の一辺１２ｄとにおいて、表面シート部２０と裏面シート部２２のそれぞれの対応する縦の一辺２０ｃ、２２ｃ、横の一辺２０ｄ、２２ｄが互いに連結されずに開放されており、この開放された辺と辺との間から書類等のシート類などを挿入して、表面シート部２０と裏面シート部２２との間に挟んで保持することができるようになっている。
【００１４】
また、裏面シート部２２には、複数の切り込み２２ｅ、２２ｆ、２２ｇが形成されており、切り込み２２ｅと２２ｆは、それぞれ横の一辺２２ｂ、２２ｄに近接して互いに反対向きに且つ平行に形成されている。また、切り込み２２ｇは、縦の一辺２２ｃに近接して形成される。各切り込み２２ｅ、２２ｆ、２２ｇに囲まれた部分が、裏面シート部２２から切起こし可能な舌片３０、３０、３２となる。
【００１５】
同様に、内側シートホルダ部１４は、それぞれ矩形状のプラスチック製の表面シート部２４と裏面シート部２６とからなる。内側シートホルダ部１４は、図６に示すように１枚のプラスチック製シートを折り目によって折り曲げることで構成され、内側シートホルダ部１４の周囲辺のうちの縦の一辺１４ａは、表面シート部２４と裏面シート部２６のそれぞれの対応する縦の一辺２４ａ、２６ａが、折り目Ｆ２を介して一体に連結されており、また、横の一辺１４ｂの一部である縦の一辺１４ｄ寄りの部分は、表面シート部２４と裏面シート部２６のそれぞれの対応する横の一辺２４ｂ、２６ｂが、超音波溶着等によって一体的に連結されている。よって、内側シートホルダ部１４の縦の一辺１４ａと横の一辺１４ｂの一部において、表面シート部２４と裏面シート部２６とがそれぞれ連結されており、他の縦の一辺１４ｃと他の横の一辺１４ｄとにおいて、表面シート部２４と裏面シート部２６のそれぞれの対応する縦の一辺２４ｃ、２６ｃ、横の一辺２４ｄ、２６ｄが互いに連結されずに開放されており、この開放された辺と辺との間から書類等のシート類などを挿入して、表面シート部２４と裏面シート部２６との間に挟んで保持することができるようになっている。
【００１６】
内側シートホルダ部１４は、全体的には外側シートホルダ部１２よりも小さく構成されており、具体的には、少なくとも、内側シートホルダ部１４の裏面シート部２６は、外側シートホルダ部１２の裏面シート部２２よりも面積が小さくなっている。
【００１７】
そして、内側シートホルダ部１４は、外側シートホルダ部１２内で外側シートホルダ部１２に対して横方向に摺動可能に配設され、外側シートホルダ部１２から引き出し可能となっている。
【００１８】
具体的には、内側シートホルダ部１４の横の一辺１４ｂの溶着が行われていない部分において、内側シートホルダ部１４の裏面シート部２６の一辺２６ｂが、外側シートホルダ部１２の裏面シート部２２の一辺２２ｂの近傍に形成された切り込み２２ｅを挿通しており、また、内側シートホルダ部１４の溶着されていない横の一辺１４ｄでは、内側シートホルダ部１４の裏面シート部２６の一辺２６ｄが、外側シートホルダ部１２の裏面シート部２２の一辺２２ｄの近傍に形成された切り込み２２ｆを挿通している。これによって、内側シートホルダ部１４の裏面シート部２６は、その横の一辺１４ｂの溶着が行われていない部分が舌片３０と舌片３０以外の外側シートホルダ部１２の裏面シート部２２に挟まれ、また、その横の一辺１４ｄが舌片３０と舌片３０以外の外側シートホルダ部１２の裏面シート部２２に挟まれる。こうして、内側シートホルダ部１４は、舌片３０、３０によって、その対向する横の一辺１４ｂ、１４ｄが挟まれることになる。
【００１９】
以上のように構成されるシートホルダ１０においては、通常の収納状態においては図２に示すように内側シートホルダ部１４が外側シートホルダ部１２内にあって、従来のシートホルダと同じ形状を呈している。
【００２０】
外側シートホルダ部１２の表面シート部２０と内側シートホルダ部１４の表面シート部２４との間、内側シートホルダ部１４の表面シート部２４と裏面シート部２６との間、内側シートホルダ部１４の裏面シート部２６と外側シートホルダ部１２の裏面シート部２２との間にそれぞれ収納部が構成され、合計３つの収納部にそれぞれ書類等のシート類を挿入することができる。
【００２１】
内側シートホルダ部１４は、舌片３０、３０によって、その対向する横の一辺１４ｂ、１４ｄが挟まれているために、簡単に外側シートホルダ部１２から抜け出ることはない。
【００２２】
また、舌片３２を切り起こして、内側シートホルダ部１４の裏面シート部２６、表面シート部２４、及び外側シートホルダ部１２の表面シート部２０のいずれかの上に載せることができる。こうして、舌片３２と舌片３０以外の外側シートホルダ部１２の裏面シート部２２とで、内側シートホルダ部１４の裏面シート部２６、裏面シート部２６と表面シート部２４、または裏面シート部２６と表面シート部２４と外側シートホルダ部１２の表面シート部２０を挟むことで、対応する収納部が不用意に開くことを防ぐことができる。但し、舌片３２は省略することも可能であり、内側シートホルダ部１４及び外側シートホルダ部１６のそれぞれの弾性によって収納部が閉じた状態に維持することも可能である。
【００２３】
次いで、内側シートホルダ部１４の表面シート部２４と裏面シート部２６との間に構成される収納部にシート類を出し入れする場合には、図２の状態で行ってもよいが、内側シートホルダ部１４を外側シートホルダ部１２から引き出して行うことができる。内側シートホルダ部１４を横方向に引き出すと、図１に示すように、内側シートホルダ部１４は、舌片３０、３０にガイドされながら外側シートホルダ部１２に対して摺動する。内側シートホルダ部１４は、その縦の一辺１４ａ付近に舌片３０が到達すると、舌片３０は、内側シートホルダ部１４に対して相対移動することができないので、この位置が最大引き出し限界となる。こうして、内側シートホルダ部１４を引き出すことで、収納部へのシート類の出し入れを簡単に行うことができると共に、シートホルダ１０自体の形状が変わるために変化の富んだものとなる。また、内側シートホルダ部１４が最大引き出し限界においても、内側シートホルダ部１４が外側シートホルダ部１２内において仕切として機能するので、書類の混在等を防ぐことができる。下側の舌片３０の位置を横の一辺２２ｂに沿って適宜設定することによって、内側シートホルダ部１４の摺動範囲を適宜決定することができる。
【００２４】
こうして、収納部を区別することができるので、シート類の入れ間違いなどを防ぐこともできる。
【００２５】
また、図８〜図１０は、さらに模様による変化を与えた例であり、外側シートホルダ部１２と内側シートホルダ部１４に、それぞれ別個の模様即ち絵１２ｅ、１４ｅを付しており、外側シートホルダ部１２は少なくともその表面シート部２０が透明または半透明となっている。内側シートホルダ部１４を引き出しているときには、その模様即ち絵１２ｅ、１４ｅが分離または合体している一方で（図８〜図１０（ａ））、内側シートホルダ部１４を外側シートホルダ部１２内に収めた状態では、模様１２ｅ、１４ｅが合体または分離している。このようにシートホルダ１０が形状のみならず、模様も変化することによって、さらに変化に富んだものとすることができる。
【００２６】
外側シートホルダ部１２と内側シートホルダ部１４とはそれぞれ従来の収納部が１つしかないシートホルダと同じ手順で製造することができ、溶着は２つのシート部の間で行うだけでよく、内側シートホルダ部１４を外側シートホルダ部１２の内部に設置するのは、特別な装置や工具などがなくても行うことができるので、製造を簡単に行うことができる。
【００２７】
また、内側シートホルダ部１４を外側シートホルダ部１２から簡単に分離することもできるので、必要に応じて内側シートホルダ部１４と外側シートホルダ部１２を別々に使用することも可能である。
【００２８】
外側シートホルダ部１２の横の一辺１２ｂの溶着範囲は、横の一辺１２ｂ全体とすることもできるが、図示の例のように、部分的に及び／または離散的に設けることも可能である。このように部分的に及び／または離散的に設けることで、内側シートホルダ部１４が摺動する時に、内側シートホルダ部１４が外側シートホルダ部１２の溶着部分と干渉して引っ掛かることを防ぎ、内側シートホルダ部１４の摺動動作を円滑にすることができる。
【００２９】
また、溶着は、溶着するべき２つのシート部の内の一方のシート部を折り返して、該折り返した部分を他方のシート部と溶着してもよい。特に、外側シートホルダ部１２の横の一辺１２ｂにおける表面シート部２０の横の一辺２０ｂと裏面シート部２２の横の一辺２２ｂとの結合においては、図７に示すようにすると、内側シートホルダ部１４が外側シートホルダ部１２の溶着部分と干渉することを防ぎ、その摺動動作を円滑にすることができる。
【００３０】
好ましくは、図示の例のように、外側シートホルダ部１２の裏面シート部２２よりも内側シートホルダ部１４の裏面シート部２６の面積が小さく、裏面シート部２２の縦の一辺２２ｃと横の一辺２２ｄは、裏面シート部２６の縦の一辺２６ｃと横の一辺２６ｄと重なり合わないようになっているとよく、これによって、裏面シート部２２と裏面シート部２６との間を開けやすくなっている。
【００３１】
同様に、内側シートホルダ部１４の表面シート部２４は裏面シート部２６よりも面積が小さく、表面シート部２４の縦の一辺２４ｃは、裏面シート部２６の縦の一辺２６ｃと重なり合わないようになっているとよく、これによって、表面シート部２４と裏面シート部２６との間を開けやすくなっている。
【００３２】
同様に、外側シートホルダ部１２の表面シート部２０の縦の一辺２０ｃは、表面シート部２４の縦の一辺２４ｃと重なり合わないようになっているとよく、これによって、表面シート部２０と表面シート部２４との間を開けやすくなっている。
【００３３】
また、内側シートホルダ部１４の内側にさらに別の内側シートホルダ部を設けて、その内側シートホルダ部を内側シートホルダ部１４に対して摺動可能にすることも可能である。
【符号の説明】
【００３４】
１０  シートホルダ
１２  外側シートホルダ部
１４  内側シートホルダ部
２０  表面シート部（第１表面シート部）
２０ａ  縦の一辺（一方の縦の一辺）
２０ｂ  横の一辺（一方の横の一辺）
２０ｃ  縦の一辺（他方の縦の一辺）
２０ｄ  横の一辺（他方の横の一辺）
２２  裏面シート部（第１裏面シート部）
２２ａ  縦の一辺（一方の縦の一辺）
２２ｂ  横の一辺（一方の横の一辺）
２２ｃ  縦の一辺（他方の縦の一辺）
２２ｄ  横の一辺（他方の横の一辺）
２２ｅ、２２ｆ  切り込み
２２ｇ  切り込み
２４  表面シート部（第２表面シート部）
２４ａ  縦の一辺（一方の縦の一辺）
２４ｂ  横の一辺（一方の横の一辺）
２４ｃ  縦の一辺（他方の縦の一辺）
２４ｄ  横の一辺（他方の横の一辺）
２６  裏面シート部（第２裏面シート部）
２６ａ  縦の一辺（一方の縦の一辺）
２６ｂ  横の一辺（一方の横の一辺）
２６ｃ  縦の一辺（他方の縦の一辺）
２６ｄ  横の一辺（他方の横の一辺）
３０  舌片
３２  舌片
【図１】
0003153734.tif 000003
【図２】
0003153734.tif 000004
【図３】
0003153734.tif 000005
【図４】
0003153734.tif 000006
【図５】
0003153734.tif 000007
【図６】
0003153734.tif 000008
【図７】
0003153734.tif 000009
【図８】
0003153734.tif 000010
【図９】
0003153734.tif 000011
【図１０】
0003153734.tif 000012